(57)【要約】【課題】背面の扉内にダクトを構成することなく、簡素な構造にて陳列室内を効率的に冷却することを可能とするショーケースを提供する。【解決手段】前面及び背面が開口する陳列室を備えたショーケース１において、陳列室９の背面開口１３を開閉自在に閉塞する扉１４と、陳列室９の下方に構成され、冷却器４２及び送風機４３が配設された冷却室２１と、陳列室９の前面開口下縁に形成され、送風機の冷気吐出側の冷却室内に連通し、冷気を斜め奥上方に向けて吐出１５Ａする冷気吐出口４４と、陳列室９の背面開口１３下縁に形成され、送風機４３の冷気吸込側の冷却室２１内に連通する冷気吸込口４５とを備えた。【選択図】図２
2008029409.tif 000002
【特許請求の範囲】
【請求項１】
前面及び背面が開口する陳列室を備えたショーケースにおいて、
前記陳列室の背面開口を開閉自在に閉塞する扉と、
前記陳列室の下方に構成され、冷却器及び送風機が配設された冷却室と、
前記陳列室の前面開口下縁に形成され、前記送風機の冷気吐出側の前記冷却室内に連通し、冷気を斜め奥上方に向けて吐出する冷気吐出口と、
前記陳列室の背面開口下縁に形成され、前記送風機の冷気吸込側の前記冷却室内に連通する冷気吸込口とを備えたことを特徴とするショーケース。
【請求項２】
前記陳列室の前面開口下縁における前記冷気吐出口の前側に、奥上方向に向けて斜めに起立する風向板を設けたことを特徴とする請求項１に記載のショーケース。
【請求項３】
前記陳列室の上方には前面が透明壁にて閉塞されると共に、背面開口が扉にて開閉自在に閉塞されて内部が冷却される第２の陳列室が構成されていることを特徴とする請求項１又は請求項２に記載のショーケース。
【発明の詳細な説明】
【技術分野】
【０００１】
本発明は、前面及び背面が開口する陳列室を備えたショーケースに関するものであって、特に、陳列室の背面開口は、扉によって開閉自在に閉塞されるショーケースに関するものである。
【背景技術】
【０００２】
この種のショーケースは、ショーケースの前面開口から陳列室内に陳列される商品を顧客自らが手にとって商品を選択することができるセルフ販売方式と、ショーケースの背面から販売員が陳列室内の商品を取り出して商品の販売を行う対面販売方式の両者を実現することができるものである。
【０００３】
例えば特許文献１に示されるショーケースでは、基台の上面に商品陳列部を構成し、基台の下部に冷却装置を構成する圧縮機等を収納する機械室を形成すると共に、基台の上方には、商品陳列部を上方から覆う陳列室カバー部を設けている。また、基台の下部には、前記圧縮機等と冷却装置を構成する冷却器と冷気循環用の送風機を配設した冷却室を構成している。この陳列室カバー部は、商品陳列部の前面を覆う前壁と、商品陳列部の上面を覆う上部壁と、商品陳列部の後面を開閉自在に閉塞する後面扉と、商品陳列部の両側面を覆う側壁とから構成され、前壁を上方に回動させることで、前面開口のオープンショーケースとして使用することができる。
【０００４】
商品陳列部は、冷却室において冷却器によって冷却された冷気を冷却器用送風機によって、基台の上面開口後縁から吐出し、対向する基台の上面開口前縁から吸い込む冷気循環を行うことにより、所定の温度に冷却される。
【０００５】
しかしながら、係る構成では、基台の前壁が商品陳列部下部を覆ってしまうため、当該商品陳列部の下部に陳列される商品を前面から視認しがたく、陳列効果が低下してしまう問題がある。また、前壁を開放し、オープンショーケースとして使用した場合には、商品陳列部内に循環される冷気が外部に漏洩しやすく、十分に陳列部内を冷却することができないという問題がある。
【０００６】
他方、従来より、開口して使用される陳列室の前面に冷気によるエアーカーテンを形成するオープンショーケースがある。当該オープンショーケースにおいて、上述した如き対面販売を実現するためには、後面開口に開閉自在な扉を設ける必要がある。
【特許文献１】特開２００３−４７５４３号公報
【発明の開示】
【発明が解決しようとする課題】
【０００７】
上述した如き構成では、陳列室下方の冷却室背部から冷気を吹き上げ、陳列室天面を経て前面開口上縁から冷気を吐出し、前面開口にエアーカーテンを形成する必要がある。この場合、陳列室内に吐出された冷気流によって確実に前面開口にエアーカーテンを形成するためには、陳列室後面開口に設けられる扉の内部にダクトを形成する必要がある。
【０００８】
しかしながら、扉の内部にダクトを形成した場合には、扉の構成が極めて複雑となり、コストの高騰や組立作業が煩雑となる問題を招くこととなる。
【０００９】
そこで、本発明は従来の技術的課題を解決するためになされたものであり、背面の扉内にダクトを構成することなく、簡素な構造にて陳列室内を効率的に冷却することを可能とするショーケースを提供することを目的とする。
【課題を解決するための手段】
【００１０】
本発明のショーケースは、前面及び背面が開口する陳列室を備えたものであって、陳列室の背面開口を開閉自在に閉塞する扉と、陳列室の下方に構成され、冷却器及び送風機が配設された冷却室と、陳列室の前面開口下縁に形成され、送風機の冷気吐出側の冷却室内に連通し、冷気を斜め奥上方に向けて吐出する冷気吐出口と、陳列室の背面開口下縁に形成され、送風機の冷気吸込側の冷却室内に連通する冷気吸込口とを備えたものである。
【００１１】
請求項２の発明のショーケースは、上記発明において、陳列室の前面開口下縁における冷気吐出口の前側に、奥上方向に向けて斜めに起立する風向板を設けたものである。
【００１２】
請求項３の発明のショーケースは、上記各発明において、陳列室の上方には前面が透明壁にて閉塞されると共に、背面開口が扉にて開閉自在に閉塞されて内部が冷却される第２の陳列室が構成されているものである。
【発明の効果】
【００１３】
本発明によれば、前面及び背面が開口する陳列室を備えたショーケースにおいて、陳列室の背面開口を開閉自在に閉塞する扉と、陳列室の下方に構成され、冷却器及び送風機が配設された冷却室と、陳列室の前面開口下縁に形成され、送風機の冷気吐出側の冷却室内に連通し、冷気を斜め奥上方に向けて吐出する冷気吐出口と、陳列室の背面開口下縁に形成され、送風機の冷気吸込側の冷却室内に連通する冷気吸込口とを備えたので、冷却室にて冷却された冷気が、陳列室の前面開口下縁の冷気吐出口から斜め奥上方に吐出され、陳列室内を循環した後、背面開口下縁の冷気吸込口から冷却室内に吸い込まれるという冷気循環を構成することが可能となる。
【００１４】
従って、背面の扉内などに格別にダクトを構成する必要がなくなり、構造を簡素化することができる。そのため、コストの高騰を回避することができると共に、組立作業性の向上を図ることができる。
【００１５】
また、冷気吐出口から吹き上げられる冷気によって陳列室の前面開口からの外気の侵入を阻害することが可能となり、エアーカーテンの効能も期待できる。特に、前面開口部に冷気吸込口を構成していないため、冷却室内に外気を吸い込み難い構成とすることができ、外気侵入による冷却能力の悪化も抑制することが可能となる。
【００１６】
請求項２の発明によれば、上記発明において、陳列室の前面開口下縁における冷気吐出口の前側に、奥上方向に向けて斜めに起立する風向板を設けたので、冷気吐出口から吹き上げられる冷気の指向性を更に良好とすることができる。そのため、冷気を外部に逃がさずに陳列室の奥上方に向かわせることが可能となる。これにより、冷気循環を良好とすることができる。また、冷気が外部に漏洩し難くなると共に、外気を陳列室内に巻き込んでしまう不都合を減少することができる。従って、陳列室内の冷却効率をより一層向上させることができる。
【００１７】
請求項３の発明によれば、上記各発明において、陳列室の上方には前面が透明壁にて閉塞されると共に、背面開口が扉にて開閉自在に閉塞されて内部が冷却される第２の陳列室が構成されているので、第２の陳列室と、その下方に形成される陳列室の二室で、それぞれ別の形態の商品の陳列を実現することができる。
【００１８】
即ち、前面が開口されている下の陳列室では、顧客が直接商品を手にとって選択と取り出しを自由に行うことを可能とする販売形式を実現することができると共に、前面が閉塞される上の陳列室（第２の陳列室）では、デリケートな商品を対面販売することを可能とすることができる。
【発明を実施するための最良の形態】
【００１９】
以下、図面に基づいて本発明の実施形態を詳述する。図１は本発明を適用したショーケース１の透視正面図、図２はショーケース１の縦断側面図、図３はショーケース１の平面図、図４はショーケース１の機械室３６部分の横断平面図を示している。ショーケース１は、例えば飲食店やスーパーマーケットなどに設置されて、ケーキ類や惣菜などの取扱いがデリケートな商品や、個別包装がなされているサンドイッチなどの惣菜などの冷蔵食品を陳列・貯蔵する冷蔵ショーケースであり、本発明が対象とするショーケースの一種類である。
【００２０】
本実施例におけるショーケース１は、前面に開口した断面略コ字状の断熱壁２と、当該断熱壁２の両側面を構成する側板（側壁）６、６とから本体が構成されている。この断熱箱体２は前面に開口する鋼板製の外箱３と、この外箱３内に間隔を存して組み込まれた前面に開口する鋼板若しくは硬質合成樹脂製の内箱４と、これら外箱３及び内箱４間に発泡充填された発泡ポリウレタンからなる断熱材５とから構成されている。側板６は、例えば内部を透視可能とする強化ガラス又は強化プラスチック等の透明壁により構成されている。
【００２１】
そして、内箱４内の例えば中央には、断熱壁２の前部から後部に渡って仕切壁７が形成されており、係る仕切壁７の上方には、上陳列室（第２の陳列室）８が形成され、仕切壁７の下方には、下陳列室（陳列室）９が形成されている。本実施例における仕切壁７は、強化ガラス又は強化プラスチック等により構成されており、当該仕切壁７の上面には、上陳列室８の底壁を構成する底板１０が設けられている。本実施例における底板１０は、例えば強化ガラス又は強化プラスチック等により構成される。
【００２２】
上陳列室８に対応する断熱壁２の背面には、後面開口１１が形成されており、係る後面開口１１は、内部を透視可能とする引き戸式のガラス扉１２、１２によって開閉自在に閉塞される。また、下陳列室９に対応する断熱壁２の背面にも、後面開口１３が形成されており、係る後面開口１３は、同じく内部を透視可能とする引き戸式のガラス扉１４、１４によって開閉自在に閉塞される。
【００２３】
また、断熱壁２の前面開口１５は、上陳列室８の前面及び上面に対応する位置に、陳列室カバー１６が設けられている。この陳列室カバー１６は、斜め前下方へ傾斜し、上陳列室８の前面を覆う前壁１７と、当該前壁１７の上方において、該前壁１７に連続するように設けられ、断熱壁２の上壁２Ｃの前端から上陳列室８の上部を覆う上壁１８とから構成されている。当該陳列室カバー１６は内部を透視可能とする強化ガラス又は強化プラスチック等（透明壁）で成形されている。
【００２４】
そして、陳列室カバー１６、断熱壁２の上壁２Ｃ、仕切壁７及びガラス扉１２にて囲繞される上陳列室８の上部には、上壁２Ｃと所定間隔を存して仕切板２２が取り付けられており、当該仕切板２２と上壁２Ｃとの間には、上冷却室２３が形成されている。この上冷却室２３内には、詳細は後述する如く上冷却ユニット（第２の冷却ユニット）３０を構成する圧縮機（第２の圧縮機）３１等と共に、所謂冷凍サイクルを構成する上冷却器（第２の冷却器）３２と、上冷気循環用送風機（第２の冷気循環用送風機）３３が配設される。
【００２５】
そして、仕切板２２にて構成される上冷却室２３の前方には、照明灯反射板２５が設けられており、当該照明灯反射板２５の内側には、上陳列室８内を上方から照明するための蛍光灯（照明装置）２６が取り付けられている。また、この上陳列室８内には、略水平状態に設置した棚装置２４が架設されており、この棚装置２４の上面には、商品を陳列可能としている。この棚装置２４の下面前部にも、照明灯反射板２７が設けられており、当該照明灯反射板２７の内側にも、同様に棚装置２４の下方に位置する上陳列室８内を上方から照明するための蛍光灯（照明装置）２８が取り付けられている。
【００２６】
尚、図２において、２９は吐出口３５付近の陳列室カバー１６に結露が発生することを防止するための防露ヒータであり、本実施例では、電気ヒータにより構成される。
【００２７】
一方、断熱壁２を構成する下壁２Ａの前端には、所定の高さ、本実施例では、ガラス扉１４が設けられる後面開口１３の下縁高さと略同一の高さにまで起立して構成される前断熱壁２Ｂが形成されており、当該前断熱壁２Ｂは、仕切壁７の前端位置よりも所定寸法だけ前方に位置する。これにより、仕切壁７の下端から前断熱壁２Ｂの上端の間に相当する下陳列室９の前面は、前面開口１５Ａとされる。
【００２８】
そして、下壁２Ａの上方には、所定間隔を存してデッキパン２０が配設されており、当該デッキパン２０と下壁２Ａとの間には、下陳列室９の下方に位置する下冷却室２１が形成される。この下冷却室２１内には、詳細は後述する如く下冷却ユニット（第１の冷却ユニット）４０を構成する圧縮機（第１の圧縮機）４１等と共に、所謂冷凍サイクルを構成する下冷却器（第１の冷却器）４２と、下冷気循環用送風機（第１の冷気循環用送風機）４３が配設される。
【００２９】
そして、このデッキパン２０と、前断熱壁２Ｂとの間には、下陳列室９の前面開口１５Ａ下縁に位置して冷気吐出口４４が形成されていると共に、断熱壁２の後面との間には、下陳列室９の背面開口１３下縁に位置して冷気吸込口４５が形成されている。冷気吐出口４４及び冷気吸込口４５は、いずれも下冷却室２１と連通して構成されている。そして、この冷気吐出口４４には、該吐出口４４から吐出される冷気を整流し、斜め奥上方に向けて吐出するための複数の整流板４６が設けられている。更に、下陳列室９の前面開口１５Ａの下縁における冷気吐出口４４の前側には、奥上方向に向けて斜めに起立する風向板４７が設けられている。
【００３０】
そして、仕切壁７にて構成される下陳列室９の上面後部には、照明灯反射板３７が設けられており、当該照明灯反射板３７の内側には、下陳列室９内を上方から照明するための蛍光灯（照明装置）３８が取り付けられている。
【００３１】
また、ショーケース１の背面には、上陳列室８と下陳列室９を区画形成する仕切壁７の後方に位置すると共に、後面開口１１及び１３の間に位置して後方に延出して形成される作業台１９が配設されている。
【００３２】
一方、断熱壁２の下壁２Ａの下方には、機械室３６が形成されている。この機械室３６は、前後面及び両側面が機械室パネル５０にて囲繞されることにより構成されると共に、当該後面を構成する機械室パネル５０Ａには、図示しない複数の外気吸込口が形成されている。また、側面を構成する機械室パネル５０Ｂ、５０Ｂには、本実施例では後部に位置して図示しない外気吐出口が形成されている。
【００３３】
機械室３６内には、上冷却ユニット３０を構成する圧縮機３１と、下冷却ユニット４０を構成する圧縮機４１と、これら両冷却ユニット３０、４０に共用される凝縮器３９と、当該凝縮器３９の近傍に位置して凝縮器用ファン４８等が配設される。
【００３４】
上冷却ユニット３０を構成する冷媒回路（第２の冷媒回路）５１は、図５に示すように圧縮機３１と、凝縮器３９と、減圧装置としての膨張弁５２と、冷却器３２とを配管により順次環状に接続して構成されると共に、当該回路５１内には所定量の冷媒が封入されている。また、下冷却ユニット４０を構成する冷媒回路（第１の冷媒回路）５３は、圧縮機４１と、凝縮器３９と、減圧装置としての膨張弁５４と、冷却器４２とを配管により順次環状に接続して構成されると共に、当該回路５３内には所定量の冷媒が封入されている。
【００３５】
ここで、凝縮器３９は、上冷却ユニット３０の冷媒回路５１と下冷却ユニット４０の冷媒回路５３のそれぞれの冷媒配管に独立して接続される冷媒通路（２パス）を有しており、一体に構成されている。そのため、当該凝縮器３９の近傍に配設される凝縮器用ファン４８は、上冷却ユニット３０の凝縮器と下冷却ユニット４０の凝縮器とを同時に空冷する。
【００３６】
本実施例において、凝縮器３９は、図４に示すように、機械室３６の後部中央に配設されると共に、当該凝縮器３９の前方に位置して各圧縮機３１、４１が左右に並設されている。そして、これら凝縮器３９と圧縮機３１、４１間に位置して機械室３６の後面を構成する機械室パネル５０Ａに形成された前記外気吸込口から機械室３６内に外気を吸い込むための凝縮器用ファン４８が設けられている。
【００３７】
そして、この凝縮器３９の両側方には、機械室３６の両側面を構成する機械室パネル５０Ｂに形成された前記外気吐出口に面して複数の防露用ファン５５が配設されている。この防露用ファン５５は、凝縮器用ファン４８によってショーケース１後面から機械室３６内に吸い込まれた空気を機械室３６の側面を構成する機械室パネル５０Ｂに形成された外気吐出口から外部に吐出する送風手段である。
【００３８】
機械室３６の両側面を構成する機械室パネル５０Ｂの側面には、各外気吐出口に対応する位置に、該側面とは所定の間隔を存してダクト部材５６が設けられている。このダクト部材５６は、機械室パネル５０Ｂ側を開口面とする断面略コ字状を呈しており、本実施例では、機械室３６下部から上陳列室８の両側面６（具体的には、棚装置２４の架設高さ）にまで延在して構成されている。これによって、上面に開口し、機械室パネル５０Ｂに形成された外気吐出口を介して機械室３６内と連通すると共に、下陳列室９の両側面６を通過して、上陳列室８の両側面６の外面に至る排気ダクト５７が構成される。
【００３９】
以上の構成により、本実施例のショーケース１の冷却運転について説明する。先ず初めに、上陳列室８を冷却する上冷却ユニット３０の運転が開始されると、圧縮機３１の運転により圧縮機３１の吐出側の冷媒配管から吐出された高温高圧のガス冷媒は、凝縮器３９に流入し、冷媒を凝縮液化する。この凝縮器３９から流出した液化冷媒は、膨張弁５２により減圧された後、上冷却器３２に流入する。
【００４０】
そして、上冷却器３２に流入した冷媒は、蒸発し、周囲から熱を奪って冷却作用を発揮する。このとき、上冷気循環用送風機３３が運転されることにより、上冷却器３２で冷却された冷気は、上冷気循環用送風機３３にて吐出口３４から上陳列室８の前部（前壁１７）に向けて吐出された後、該上陳列室８内を循環し、上陳列室８の上後部に形成された吸込口３５から上冷却室２３内に帰還する（図２では、冷気の流れを黒塗り矢印にて示す）。従って、上陳列室８内は、所定の温度にまで冷却され、上陳列室８内に陳列された商品を所定温度に冷却することができる。そして、上冷却器３２から流出した冷媒は、圧縮機３１に帰還する。
【００４１】
一方、下陳列室９を冷却する下冷却ユニット４０の運転が開始されると、圧縮機４１の運転により圧縮機４１の吐出側の冷媒配管から吐出された高温高圧のガス冷媒は、凝縮器３９に流入し、冷媒を凝縮液化する。この凝縮器３９から流出した液化冷媒は、膨張弁５４により減圧された後、下冷却器４２に流入する。
【００４２】
そして、下冷却器４２に流入した冷媒は、蒸発し、周囲から熱を奪って冷却作用を発揮する。このとき、下冷気循環用送風機４３が運転されることにより、下冷却器４２で冷却された冷気は、下陳列室９の前面開口１５Ａ下縁に形成される冷気吐出口４４から下陳列室９の奥上方に向けて吐出される。下陳列室９内に吐出された冷気は、該陳列室９内を循環し、下陳列室９の後面開口１３下縁に形成された冷気吸込口４５から下冷却室２１内に帰還する（図２では、冷気の流れを黒塗り矢印にて示す）。従って、下陳列室９内は、所定の温度にまで冷却され、下陳列室９内に陳列された商品を所定温度に冷却することができる。そして、下冷却器４２から流出した冷媒は、圧縮機４１に帰還する。
【００４３】
従って、下陳列室９の背面開口１３に設けられるガラス扉１４内などに格別にダクトを構成する必要が無くなり、構造を簡素化することができるようになる。そのため、コストの高騰を回避することができると共に、組立作業性の向上を図ることができる。
【００４４】
また、下陳列室９の前面開口１５Ａ下縁に形成される冷気吐出口４４から吹き上げられる冷気によって下陳列室９の前面開口１５Ａからの外気の侵入を阻害することが可能となり、エアーカーテンの効能も期待できる。更に、前面開口部に冷気吸込口を構成していないため、下冷却室２１内に外気を吸い込み難い構成とすることができ、外気侵入による冷却能力の悪化も抑制することが可能となる。
【００４５】
特に、本実施例におけるショーケース１では、下陳列室９の前面開口１５Ａ下縁に冷気吐出口４４の前側に位置して奥上方向に向けて斜めに起立する風向板４７を設けたので、冷気吐出口４４から吹き上げられる冷気の指向性を更に良好とすることができる。そのため、冷気を外部に逃がさずに下陳列室９の奥上方に向かわせることが可能となる。これにより、冷気循環を良好とすることができる。また、冷気が外部に漏洩し難くなると共に、外気を下陳列室９内に巻き込んでしまう不都合を減少することができる。従って、下陳列室９内の冷却効率をより一層向上させることができる。
【００４６】
また、下陳列室９の前面開口１５Ａ下縁に形成された冷気吐出口４４から吐出された比重の重い冷気は、実際には、冷気吐出口４４から斜め奥上方に吹き上げられた後、下陳列室９内の低い領域を通過して循環しようとする。そのため、図２に示すようなロードラインＬ以下の領域、例えば、下陳列室９のデッキパン２０上に例えばサンドイッチ等の一面に陳列することで、陳列効果が向上されるような商品を陳列した場合に、良好に冷却することが可能となる。
【００４７】
他方、凝縮器用ファン４８が運転されることにより、機械室３６の後面を構成する機械室パネル５０Ａに形成された外気吸込口からショーケース１後方の外気が機械室３６内に吸引される（図２において白抜きの矢印にて示す）。機械室３６内に吸引された空気は、当該機械室３６内に配設される凝縮器３９、各圧縮機３１、４１を空冷する。
【００４８】
次に、凝縮器３９等によって温められた空気（暖気）は、機械室３６の両側部に設けられる各防露用ファン５５によって、凝縮器用ファン４８の吸引方向とは異なる方向、即ち、当該凝縮器用ファン４８によってショーケース１後方から機械室３６内へ吸引された空気を、機械室３６の両側方に向けて吐出される。
【００４９】
本実施例では、防露用ファン５５に面して設けられる側面を構成する機械室パネル５０Ｂには、外気吐出口が形成されていると共に、機械室３６の外側両側面には、上述した如きダクト部材５６によって外気吐出口と連通する排気ダクト５７が形成されているため、防露用ファン５５によって機械室３６の両側方に吐出された暖気は、排気ダクト５７内に吐出される。
【００５０】
排気ダクト５７内に吐出された暖気は、当該排気ダクト５７内を上昇し、上端開口から外部に排出される（図１において白抜きの矢印にて示す）。これにより、機械室３６の後面から機械室３６内に吸引された空気を、ショーケース１の前面や背面に排出することなく、ショーケース１の両側面から効率的に排出することが可能となる。
【００５１】
そのため、ショーケース１の前面に立つ顧客や、対面販売を行う場合においてショーケース１の後面に立つ販売員の足下に、暖気が排出されることによる不快感を解消することが可能となる。
【００５２】
また、機械室３６の両側部からショーケース１の側方に向けて吐出された暖気は、排気ダクト５７内をショーケース１の側方に沿って上昇することとなり、透明壁にて構成された両側面６、６の外面を効果的に加熱することが可能となる。従って、これら側面６に結露が発生することを未然に回避することが可能となり、当該側面６が曇ってしまい各陳列室８、９内が透視しづらくなることによる陳列効果の低下を抑制することができる。
【００５３】
更にまた、本実施例におけるダクト部材５６は、下陳列室９の両側面を通過して上陳列室８の中途の高さ位置の側面６外面に至る位置まで構成されているため、各防露用ファン５５によって加速された暖気を下陳列室９の上方に構成される上陳列室８の側方にまで円滑に吐出することが可能となる。これにより、排気ダクト５７を通過する暖気によって、これら側面６の外面を円滑に加熱することができ、結露の発生を効果的に抑止することが可能となる。
【００５４】
本実施例におけるショーケース１は、上陳列室８には、陳列室カバー１６（透明壁）にて閉塞されると共に、背面開口１１は、扉１２にて開閉自在に閉塞されると共に、下陳列室８には、前面が開口（前面開口１５Ａ）し、背面開口１３は、扉１４にて開閉自在に閉塞され、いずれの陳列室８、９も内部を冷却して用いられるものであるため、それぞれ別の形態の商品の陳列を実現することができる。
【００５５】
即ち、前面が開口されている下陳列室９では、例えば、個別包装等がなされているサンドイッチ等の商品を陳列し、顧客が直接商品を手にとって選択と取り出しを自由に行うことを可能とする販売形式を実現することができると共に、前面が閉塞される上陳列室８では、デリケートな商品、例えば洋菓子等の商品を対面販売することを可能とすることができる。
【００５６】
次に、図６を参照して本実施例のショーケース１の制御装置Ｃの電気回路について詳述する。制御装置Ｃは、下冷却ユニット４０の電気回路（第１の電気回路）Ｃ１と、上冷却ユニット３０の電気回路（第２の電気回路）Ｃ２とから構成されている。
【００５７】
電気回路Ｃ２は、電源ＡＣに接続される電源プラグ（第２の電源プラグ）６１には、下冷却ユニット４０の運転スイッチ６３が補助リレー６４と直列に接続され、該リレー６４と並列にランプ６５が接続されている。また、電源プラグ６１には、蛍光灯スイッチ６８が上陳列室８及び下陳列室９に配設される各蛍光灯２６、２８、３８の安定器６６と直列に接続され、該安定器６６と並列にランプ６７が接続されている。
【００５８】
また、電源プラグ６１には、上冷却ユニット３０の圧縮機３１の圧縮機モータ３１ＭをＯＮ−ＯＦＦするマグネットスイッチ６９の常開接点６９Ａ、始動コンデンサ７０、運転コンデンサ７１、圧縮機モータ始動リレー７２、圧縮機モータ用オーバーロードリレー７３が直列に接続されている。
【００５９】
更に、電源プラグ６１には、後述する補助リレー７５のリレー接点７５Ａが直列に接続されており、当該リレー接点７５Ａの後段には、以下の回路が接続される。即ち、基板用トランス７６から電源を得ている電子コントローラ７７がマグネットスイッチ６９と直列に接続されている。また、上冷気循環用送風機３３のファンモータ３３Ｍ、上陳列室８に設けられる各種電気ヒータ７８がそれぞれ直列に接続されている。また、トランス７９を介して防露ヒータ２９が直列に接続されている。
【００６０】
他方、電気回路Ｃ１は、電源ＡＣに接続される電源プラグ（第１の電源プラグ）６０には、上冷却ユニット３０の運転スイッチ８０が補助リレー７５と直列に接続され、該リレー７５と並列にランプ８１が接続されている。また、電源プラグ６０には、補助リレー７５の常開接点７５Ｂ及び電気回路Ｃ２に接続される補助リレー６４の常開接点６４Ａが並列に接続されており、これらには、凝縮器用ファン４８のファンモータ４８Ｍ及び防露用ファン５５のファンモータ５５Ｍがそれぞれ接続されている。
【００６１】
また、電源プラグ６０には、下冷却ユニット４０の圧縮機４１の圧縮機モータ４１ＭをＯＮ−ＯＦＦするマグネットスイッチ８２の常開接点８２Ａ、始動コンデンサ８３、運転コンデンサ８４、圧縮機モータ始動リレー８５、圧縮機モータ用オーバーロードリレー８６が直列に接続されている。
【００６２】
更に、電源プラグ６０には、前記補助リレー６４のリレー接点６４Ｂが直列に接続されており、当該リレー接点６４Ｂの後段には、以下の回路が接続される。即ち、基板用トランス８７から電源を得ている電子コントローラ８８がマグネットスイッチ８２と直列に接続されている。また、下冷気循環用送風機４３のファンモータ４３Ｍ、下陳列室９に設けられる各種電気ヒータ８９がそれぞれ直列に接続されている。
【００６３】
上述した如き構成により、各電気回路Ｃ１、Ｃ２の電源プラグ６０、６１をそれぞれ例えばＡＣ１００Ｖ電源の給電用コンセントに接続し、これらに電源ＡＣが印加されるものとすると、電気回路Ｃ１に接続される上冷却ユニット用の運転スイッチ８０をＯＮとすることで、補助リレー７５に通電され、これによって、電気回路Ｃ２に設けられるリレー接点７５Ａ及び電気回路Ｃ１に設けられるリレー接点７５Ｂが閉じる。
【００６４】
電気回路Ｃ２のリレー接点７５Ａが閉じることで、電子コントローラ７７の制御に基づき、マグネットスイッチ６９への通電制御が可能となり、マグネットスイッチ６９に通電されると、上冷却ユニット３０の圧縮機３１の圧縮機モータ３１ＭをＯＮ−ＯＦＦするマグネットスイッチ６９の常開接点６９Ａが閉じ、これによって、圧縮機モータ３１Ｍが運転される。また、電気回路Ｃ２のリレー接点７５Ａが閉じることで、上冷気循環用送風機３３のファンモータ３３Ｍに通電され、上冷気循環用送風機３３が運転される。これと共に、上陳列室８に設けられる各種電気ヒータ７８及び防露ヒータ２９にも通電される。尚、これら上冷気循環用送風機３３のファンモータ３３Ｍ及び電気ヒータ７８、防露ヒータ２９は、上冷却ユニット用の運転スイッチ８０がＯＮされている限り、連続通電とされる。
【００６５】
また、電気回路Ｃ２のリレー接点７５Ａが閉じると同時に、電気回路Ｃ１のリレー接点７５Ｂも閉じる。これによって、凝縮器用ファン４８のファンモータ４８Ｍ及び防露用ファン５５のファンモータ５５Ｍに通電が行われ、上冷却ユニット用の運転スイッチ８０がＯＮされている限り、連続運転される。
【００６６】
他方、上記と同様に各電気回路Ｃ１、Ｃ２の電源プラグ６０、６１が給電用コンセントに接続されている状態で、電気回路Ｃ２に接続される下冷却ユニット用の運転スイッチ６３をＯＮとすることで、補助リレー６４に通電され、これによって、電気回路Ｃ１に設けられるリレー接点６４Ａ及び６４Ｂが閉じる。
【００６７】
リレー接点６４Ｂが閉じることで、電子コントローラ８８の制御に基づき、マグネットスイッチ８２への通電制御が可能となり、マグネットスイッチ８２に通電されると、下冷却ユニット４０の圧縮機４１の圧縮機モータ４１ＭをＯＮ−ＯＦＦするマグネットスイッチ８２の常開接点８２Ａが閉じ、これによって、圧縮機モータ４１Ｍが運転される。また、リレー接点６４Ｂが閉じることで、下冷気循環用送風機４３のファンモータ４３Ｍに通電され、下冷気循環用送風機４３が運転される。これと共に、下陳列室８に設けられる各種電気ヒータ８９にも通電される。尚、これら下冷気循環用送風機４３のファンモータ４３Ｍ及び電気ヒータ８９は、下冷却ユニット用の運転スイッチ６３がＯＮされている限り、連続通電とされる。
【００６８】
また、リレー接点６４Ｂが閉じると同時に、リレー接点６４Ａも閉じる。これによって、凝縮器用ファン４８のファンモータ４８Ｍ及び防露用ファン５５のファンモータ５５Ｍに通電が行われ、下冷却ユニット用の運転スイッチ６３がＯＮされている限り、連続運転される。
【００６９】
そして、少なくとも電気回路Ｃ２の電源プラグ６１が給電用コンセントに接続されている状態で、電気回路Ｃ２に接続される蛍光灯スイッチ６８をＯＮとすることで、安定器６６と、上陳列室８に設けられる蛍光灯２６、２８及び下陳列室９に設けられる蛍光灯３８への給電が可能となり、各蛍光灯２６、２８、３８を点灯することが可能となる。
【００７０】
上述した如き構成により、一方の電気回路の電源プラグのみを給電用コンセントに接続した場合には、例えば、電源プラグ６１のみを給電用コンセントに接続した場合には、下冷却ユニット４０の運転スイッチ６３をＯＮとしても、電気回路Ｃ１の各機器には、電源が供給されていないため、電子コントローラ８８、下冷却ユニット４０の圧縮機モータ４１Ｍ、下冷気循環用送風機４３のファンモータ４３Ｍ、下陳列室９に設けられる各種電気ヒータ８９、凝縮器用ファン４８のファンモータ４８Ｍ及び防露用ファン５５のファンモータ５５Ｍに通電を行うことができない。また、当該電源プラグ６１より電源供給が行われる各機器、即ち、上冷却ユニット３０の圧縮機モータ３１Ｍ、上冷気循環用送風機３３のファンモータ３３Ｍ、上陳列室８に設けられる各種電気ヒータ７８及び防露ヒータ２９は、電源回路Ｃ１に接続されている上冷却ユニット用の運転スイッチ８０への給電が行われないため、通電することができない。
【００７１】
但し、この場合には、蛍光灯２６、２８、３８及び当該蛍光灯スイッチ６８が同一の電気回路Ｃ２に設けられているため、電源プラグのみを給電用コンセントに接続した場合であっても、蛍光灯２６、２８、３８を点灯することが可能となる。
【００７２】
他方、電源プラグ６０のみを給電用コンセントに接続した場合には、上冷却ユニット３０の運転スイッチ８０をＯＮとしても、電気回路Ｃ２の各機器には、電源が供給されていないため、電子コントローラ７７、上冷却ユニット３０の圧縮機モータ３１Ｍ、上冷気循環用送風機３３のファンモータ３３Ｍ、上陳列室８に設けられる各種電気ヒータ７８及び防露ヒータ２９に通電を行うことができない。また、当該電源プラグ６０より電源供給が行われる各機器、即ち、下冷却ユニット４０の圧縮機モータ４１Ｍ、下冷気循環用送風機４３のファンモータ４３Ｍ、下陳列室９に設けられる各種電気ヒータ８９は、電源回路Ｃ２に接続されている下冷却ユニット用の運転スイッチ６３への給電が行われないため、通電することができない。
【００７３】
このように、電気回路Ｃ１と電気回路Ｃ２により構成される制御装置Ｃは、電源プラグ６０、６１の双方が電源に接続されている場合に限り、各冷却ユニットの圧縮機３１、４１の運転を許容するので、各電源プラグ６０、６１が受け持つ電源容量を制限しつつ、一方の電源プラグ６０又は６１を電源に接続し忘れてしまい、凝縮器用ファン４８Ｍや防露用ファン５５Ｍに給電ができない場合にまで、何れかの圧縮機３１又は４１が運転してしまう不都合を回避することが可能となる。
【００７４】
これにより、凝縮器用ファン４８Ｍが停止している場合にまで何れかの圧縮機が運転してしまい、当該圧縮機へ過負荷が生じ、当該冷却装置の損傷を招く不都合を未然に回避することが可能となる。従って、独立した冷媒回路５１、５３を備えた各冷却ユニット３０、４０を構成する各圧縮機３１、４１が別々の電源プラグ６０、６１から給電が行われる場合であっても、安全に冷却運転を実行することが可能となる。
【００７５】
本実施例における構成によれば、各蛍光灯２６、２８、３８に電源を供給するための電源プラグ６１が電源に接続されている場合は、これら蛍光灯の点灯を許容するので、当該低温ショーケース１を冷却運転せずに使用する場合（非冷使用）に、各蛍光灯２６、２８、３８に電源を供給するための電源プラグ６１を電源に接続するのみで、各陳列室８、９内を照明することが可能となり、利便性の向上を図ることができる。
【００７６】
尚、蛍光灯２６等に給電するための回路は、本実施例では電気回路Ｃ２に設けているが、これに限定されるものではなく、電気回路Ｃ１に設けても同様の効果を得ることができる。
【００７７】
但し、本実施例の如く、蛍光灯２６等に給電するための回路を電気回路Ｃ２に設けることによって、凝縮器用ファン４８のファンモータ４８Ｍや防露用ファン５５のファンモータ５５Ｍが接続される電気回路Ｃ１と分けることが可能となり、各電源プラグ６０及び６１が受け持つ電気容量の均等化を図ることが可能となる。
【図面の簡単な説明】
【００７８】
【図１】ショーケースの透視正面図である。
【図２】ショーケースの縦断側面図である。
【図３】ショーケースの平面図である。
【図４】ショーケースの機械室部分の横断平面図である。
【図５】ショーケースの冷媒回路図である。
【図６】ショーケースの制御装置の電気回路図である。
【符号の説明】
【００７９】
１    ショーケース
２    断熱箱体（断熱壁）
６    側板
７    仕切壁
８    上陳列室（第２の陳列室）
９    下陳列室（陳列室）
１０  底板
１１、１３  後面開口
１２、１４  ガラス扉
１５  前面開口
１６  陳列室カバー
１７  前壁
１８  上壁
２０  デッキパン
２１  下冷却室
２２  仕切板
２３  上冷却室
２４  棚装置
３０  上冷却ユニット（第２の冷却ユニット）
３１  圧縮機（第２の圧縮機）
３２  上冷却器（第２の冷却器）
３３  上冷気循環用送風機（第２の冷気循環用送風機）
３６  機械室
４０  下冷却ユニット（第１の冷却ユニット）
４１  圧縮機（第１の圧縮機）
４２  下冷却器（第１の冷却器）
４３  下冷気循環用送風機（第１の冷気循環用送風機）
４４  冷気吐出口
４５  冷気吸込口
４６  整流板
４７  風向板
【図１】
2008029409.tif 000003
【図２】
2008029409.tif 000004
【図３】
2008029409.tif 000005
【図４】
2008029409.tif 000006
【図５】
2008029409.tif 000007
【図６】
2008029409.tif 000008